(57)【特許請求の範囲】
【請求項１】
開口部が形成された筐体と、該開口部を開閉可能に覆うカバー部材とを備えた電子機器において、
上記開口部の周縁に形成された挿入用貫通孔と、
上記カバー部材に形成され、上記挿入用貫通孔に先端の係合突起が挿入される舌部と、
上記挿入用貫通孔の周縁に設けられ、先端側において上記挿入用貫通孔の高さを、上記係合突起における上記舌部の高さより小さく設定した脱落防止部とを備え、
上記脱落防止部は、上記挿入用貫通孔の高さを可変する方向に弾性を有し、
上記係合突起は、互いに反対方向に延びる一対の鉤状部分よりなり、
上記脱落防止部は、上記一対の係合突起に合わせ、上記挿入用貫通孔の周縁における上記舌部の外側にそれぞれ設けられ、上記鉤状部分に当接する部分が舌部側に向かって先細となる傾斜面を有し、
上記脱落防止部に対向する上記筐体の壁部には、上記カバー部材が引っ張られたときに鉤状部分の反対側が変形して嵌合する一対の抜け防止用凹部が形成されたリブを有する
ことを特徴とする電子機器。
【発明の詳細な説明】
【技術分野】
【０００１】
本発明は、開口部が形成された筐体と、この開口部を覆うカバー部材とを備えた電子機器に関し、特にそのカバー部材の構造の改善に関する。
【背景技術】
【０００２】
従来より、スマートフォンに代表される電子機器において、外部コネクタを差し込む開口部やメモリカードを出し入れする開口部を、防塵、防水、意匠性向上等の目的でカバー部材で覆うことは知られている。このカバー部材は、紛失防止を目的としてカバー部材から延びた舌部や軸が筐体側の開口部周縁に設けた挿入用貫通孔の周縁に連結されることが多い。舌部や軸などで構成される連結部は、カバー部材を開けた状態で外部端子を接続したり、メモリカードを抜き差ししやすいように、通常は、ゴムやウレタンなどの軟質の材料で構成して屈曲したり、回転したりできるようにしている。
【０００３】
カバー部材は容易に外れてしまうと、カバー部材を開閉する場合などに意図せず抜け落ちて紛失するという問題がある。このため、取付は容易であるが、取外しには、ある程度力を加える必要があるような構造が求められる。
【０００４】
そこで、例えば、図１２（Ａ）〜（Ｃ）に示すように、カバー部材の舌部５１１の厚み方向に鉤状の係合突起５１２を設けてもよいし、図１３（Ａ）〜（Ｃ）に示す特許文献１の例のように、カバー部材の舌部６１１の幅方向両側に係合突起６１２（抜け止め用部分）を設けてもよい。このような係合突起５１２，６１２を筐体に設けた挿入用貫通孔５０３ｂ，６０３ｂにそれぞれ挿入するときには、係合突起５１２，６１２などに設けた弾性変形用の凹部５１２ｂや孔部６１２ｂを変形させながら圧入するなどした後、挿入用貫通孔５０３ｂ，６０３ｂの周縁から抜け出さないようにしている。
【先行技術文献】
【特許文献】
【０００５】
【特許文献１】特開２００１−２１０９７２号公報
【発明の概要】
【発明が解決しようとする課題】
【０００６】
しかしながら、取付が容易であることと、意図せず抜け出さないこととは、両立が難しい。図１２（Ａ）〜（Ｃ）や図１３（Ａ）〜（Ｃ）に示すように、舌部５１１，６１１を挿入用貫通孔５０３ｂ，６０３ｂに挿入するときには、舌部５１１，６１１の寸法ｙが、挿入用貫通孔５０３ｂ，６０３ｂの内径ｘよりも小さくなるように変形する必要がある。つまり、係合突起５１２，６１２が潰れた状態の舌部５１１，６１１の断面積が挿入用貫通孔５０３ｂ，６０３ｂの断面積以下となる必要がある。特許文献１のように、挿入をしやすくするために変形のための凹部５１２ｂや孔部６１２ｂを大きくすると、意図せず抜けやすくなってしまう。一方で、電子機器のサイズを大きくできないときには、カバー部材のサイズ自体も大きくできず、係合突起の大きさを大きくして抜け出し難くするには限界がある。
【０００７】
本発明は、かかる点に鑑みてなされたものであり、その目的とするところは、カバー部材の舌部の大きさや収納スペースを拡大することなく、カバー部材を挿入しやすく抜け難いようにすることにある。
【課題を解決するための手段】
【０００８】
上記の目的を達成するために、この発明では、カバー部材の舌部の係合突起を、筐体側の脱落防止部を通過後に脱落防止部に係合させるようにした。
【０００９】
具体的には、本発明では、開口部が形成された筐体と、該開口部を開閉可能に覆うカバー部材とを備えた電子機器を前提とし、
上記電子機器は、
上記開口部の周縁に形成された挿入用貫通孔と、
上記カバー部材に形成され、上記挿入用貫通孔に先端の係合突起が挿入される舌部と、
上記挿入用貫通孔の周縁に設けられ、先端側において上記挿入用貫通孔の高さを、上記係合突起における上記舌部の高さより小さく設定した脱落防止部とを備え、
上記脱落防止部は、上記挿入用貫通孔の高さを可変する方向に弾性を有する。
【００１０】
上記の構成によると、筐体に設けた脱落防止部が、舌部の先端の係合突起の挿入時は挿入用貫通孔の高さを広げるように弾性変形することにより、カバー部材の挿入を容易にしながらも、引き抜き時は、広がらないようにすることにより、意図せず脱落することを防止できる。
【発明の効果】
【００１１】
以上説明したように、本発明によれば、開口部の周縁に形成した挿入用貫通孔に舌部の先端の係合突起を挿入可能とし、挿入後には脱落防止部で抜け止めすることにより、カバー部材の舌部の大きさや収納スペースを拡大することなく、カバー部材を挿入しやすく抜け難いようにすることができる。
【図面の簡単な説明】
【００１２】
【図１】図１（Ａ）は、図２（Ａ）のIa−Ia線拡大断面図であり、（Ｂ）は、図１（Ａ）のカバー部材を引き出した状態を示す断面図である。
【図２】図２（Ａ）は、携帯端末の正面側を示す斜視図であり、図２（Ｂ）は、携帯端末の背面側を示す斜視図である。
【図３】図３（Ａ）は、端子用開口及びその周辺を示す平面図であり、図３（Ｂ）は、端子用開口及びその周辺を示す正面図であり、図３（Ｃ）は、端子用開口及びその周辺を示す側面図である。
【図４】図４（Ａ）は、カバー部材を示す斜視図であり、図４（Ｂ）は、カバー部材を別の方向から見た斜視図である。
【図５】図５（Ａ）は、実施形態１の変形例１に係る、スリットだけでなく孔部を設けた脱落防止部及びその周辺を示す側面図であり、図５（Ｂ）は、実施形態１の変形例２に係る、幅の広いスリットを設けた脱落防止部及びその周辺を示す側面図であり、図５（Ｃ）は、実施形態１の変形例３に係る、根元をくびれ構造にした脱落防止部及びその周辺を示す側面図である。
【図６】図６は、実施形態１の変形例４に係る、脱落防止部を含む分解斜視図である。
【図７】図７は、実施形態１の変形例５に係る、カバー部材を示す斜視図である。
【図８】図８は、実施形態１の変形例５に係る図１（Ａ）相当図である。
【図９】図９は、実施形態１の変形例６に係る図１（Ａ）相当図である。
【図１０】図１０は、実施形態２に係る、カバー部材を示す斜視図である。
【図１１】図１１（Ａ）は、カバー部材を閉じた状態の舌部と脱落防止部との関係を示す拡大断面図であり、図１１（Ｂ）は、カバー部材を開いて引き出した状態の舌部と脱落防止部との関係を示す拡大断面図である。
【図１２】図１２（Ａ）は、舌部の厚さ方向に凸部を設けた従来技術に係る、挿入前の舌部及び端子用開口部を示す断面図であり、図１２（Ｂ）は、凸部を変形させる状態を示す図１２（Ａ）相当図であり、図１２（Ｃ）は、凸部を通過させて係合した状態を示す図１２（Ａ）相当図である。
【図１３】図１３（Ａ）は、舌部の幅方向両側に凸部を設けた従来技術に係る、挿入前の舌部及び端子用開口部を示す断面図であり、図１３（Ｂ）は、凸部を変形させる状態を示す図１３（Ａ）相当図であり、図１３（Ｃ）は、凸部を通過させて係合した状態を示す図１３（Ａ）相当図である。
【発明を実施するための形態】
【００１３】
以下、本発明の実施形態を図面に基づいて説明する。
【００１４】
（実施形態１）
図１及び図２は、本発明の実施形態１の電子機器としてのスマートフォン１を示し、このスマートフォン１は、正面側に表示部２が収容される筐体３を備える。筐体３は、例えば樹脂成形品よりなり、背面側が板状のリアカバー４で覆われている。本実施形態では、例えば左右側面及び下面が、樹脂成形品よりなるＵ字状の装飾部材５で覆われている。筐体３内には、板状の回路基板６が設けられている。
【００１５】
そして、スマートフォン１の上面に対応する筐体３には、ＳＤカードやＳＩＭカードなどのメモリカード７を出し入れするための開口部３ａが形成されている。この開口部３ａの内部には、図１に示す回路基板６に接続され、これらのメモリカード７に対して情報を読み書きするための接続端子８（詳細図示せず）が設けられている。この開口部３ａは、例えば長円形であり、カバー部材１０のパッキン部１０ａにより開閉可能に覆われている。開口部３ａの形状は、これに限定されず、円形、楕円形、矩形、多角形等でもよい。開口部３ａの周縁には、この開口部３ａよりも小さな例えば矩形状の挿入用貫通孔３ｂが形成されている。挿入用貫通孔３ｂの形状は、矩形状に限定されない。この挿入用貫通孔３ｂには、カバー部材１０の裏面側から延びる舌部１１が挿入可能となっている。また、開口部３ａの周縁における挿入用貫通孔３ｂと反対側には、カバー部材１０の鉤状の係合部１０ｂが嵌合する嵌合凹部３ｃが形成されている。なお、カバー部材１０と隣接してイヤホン接続部９が設けられている。
【００１６】
図１及び図４に示すように、舌部１１は、エラストマーなどの柔軟な材料よりなり、その先端には、鉤状の係合突起１２が一体に形成されている。係合突起１２には、かえりを有する鉤部１２ａと、この鉤部１２ａを挿入用貫通孔３ｂに押し込むときや引き抜くときに変形を容易にするために凹陥された変形部１２ｂとが形成されている。この変形部１２ｂは、凹みではなく、貫通孔で構成してもよい。
【００１７】
筐体３における、挿入用貫通孔３ｂの周縁には、係合突起１２の挿入は可能とし、挿入後の係合突起１２は、抜け止めする脱落防止部１３が一体に形成されている。図３に装飾部材５を外して示すように、脱落防止部１３は、幅方向両端に変形用スリット１３ａが形成され、根元が筐体３に連続した細い板状部材よりなる。この変形用スリット１３ａにより、脱落防止部１３は、特に、その厚さ方向（言い換えれば、挿入用貫通孔３ｂの高さを可変する方向）に変形しやすくなっている（弾性を有する）。
【００１８】
図１（Ａ）及び図１（Ｂ）に示すように、脱落防止部１３の先端には、係合突起１２の鉤部１２ａとの接触面において、舌部１１側が先細となるように（背面から見て下方に向かって右側へ）傾斜する傾斜面１３ｂが形成され、係合突起１２の鉤部１２ａが傾斜面１３ｂに当接した状態で、カバー部材１０を引っ張ったときに挿入用貫通孔３ｂを狭める方向に脱落防止部１３を変形させる。これに対応させて脱落防止部１３に対向する筐体３の壁部には、カバー部材１０が引っ張られたときに鉤状部分の反対側がく字状に変形して嵌合する抜け防止用凹部１４が形成されている。また、脱落防止部１３の先端側において、挿入用貫通孔３ｂの高さ、すなわち脱落防止部１３と上記筐体３の壁部との隙間は、係合突起１２における舌部１１の高さより小さく設定している。
【００１９】
以上のように構成したので、筐体３に設けた脱落防止部１３が、舌部１１の先端の係合突起１２の挿入は許容し、挿入後は抜け止めすることにより、カバー部材１０の挿入を容易にしながらも、意図せず脱落することを防止できる。係合突起１２が変形可能な柔軟な材料よりなるため、交換が必要なときには強めの力で引っ張ってカバー部材１０を引き抜くことができる。
【００２０】
また、脱落防止部１３について、係合突起１２を挿入用貫通孔３ｂに挿入するときには、挿入用貫通孔３ｂを開く方向に変形し、この係合突起１２が通過後、カバー部材１０を引き抜こうとすると係合突起１２に係合し、挿入用貫通孔３ｂを狭めるようにして抜け止めするようにしたので、この脱落防止部１３が係合突起１２の挿入を許容すると共に、通過後は意図しない脱落を防止することができる。
【００２１】
脱落防止部１３は、筐体３に一体に形成され、その根元側に変形用スリット１３ａを設けたので、簡単な構成で脱落防止部１３を変形可能とすると共に、先端側に係合突起１２の鉤状の部分を引っ掛けて抜け止めすることができる。
【００２２】
したがって、本実施形態に係るスマートフォン１によると、カバー部材１０の舌部１１の大きさや収納スペースを拡大することなく、カバー部材１０を挿入しやすく抜け難いようにすることができる。
【００２３】
−実施形態１の各変形例−
図５〜図９は本発明の実施形態１の各変形例を示し、脱落防止部１３を変形しやすくする構成が異なる点で上記実施形態１と異なる。なお、以下の各変形例や各実施形態では、図１〜図４と同じ部分については同じ符号を付してその詳細な説明は省略する。
【００２４】
具体的には、図５（Ａ）は、実施形態１の変形例１に係る、変形用スリット１３ａだけでなく、孔部１３ａ'を設けた脱落防止部１３及びその周辺を示す側面図を示す。脱落防止部１３の内部に孔部１３ａ'をさらに加えることで、係合突起１２の挿入時や引き抜き時に、より脱落防止部１３が変形しやすくなっている。脱落防止部１３が変形しやすくなっても、係合突起１２の鉤部１２ａが脱落防止部１３の傾斜面１３ｂに引っ掛かって意図せず抜け出さないようになっている。
【００２５】
図５（Ｂ）は、実施形態１の変形例２に係る幅の広い変形用スリット１３ａ''を設けた脱落防止部１３及びその周辺を示す側面図である。このように変形用スリット１３ａ''の幅を広くすることで脱落防止部１３の幅を狭くし、係合突起１２の挿入時に、より脱落防止部１３が変形しやすくなっている。
【００２６】
図５（Ｃ）は、実施形態１の変形例３に係る変形用スリット１３ａ'''の根元をくびれ構造にした脱落防止部１３及びその周辺を示す側面図である。くびれ構造とすることで、単純に変形用スリット１３ａを設けるよりも係合突起１２の挿入時に、より脱落防止部１３が変形しやすくなっている。
【００２７】
図６は、実施形態１の変形例４に係る、別部品よりなる脱落防止部１３'を含む分解斜視図である。具体的には、脱落防止部１３は、筐体３と別体に形成され、筐体３に脱着可能となっている。この脱落防止部１３'は、例えば、変形可能な板状部材よりなり、筐体３に設けた貫通孔３ｄからこの板状部材を挿入して固定するように構成すればよい。特に樹脂成形品よりなる筐体３の成形時に抜け勾配等の関係から脱落防止部１３'を形成できないときに有効である。別部品で構成することで、筐体３とは別の材質とすることができる。例えば、筐体３に剛性確保のためにガラスやグラスファイバーなどの添加剤を加えた高剛性の射出樹脂を使う場合でも、脱落防止部１３'の材質をそれよりも剛性の低いものとして変形しやすいものとすることができる。この構成により、係合突起１２の通過後に脱落防止部１３を組み付けることもでき、組付が容易となる。貫通孔３ｄは、装飾部材５で隠すことができるので、外観が悪化しない。
【００２８】
なお、脱落防止部１３'は脱着可能であるとしたが、接着剤等で固定し、一旦取り付けたら取外しできない構成であってもよい。
【００２９】
図７は、実施形態１の変形例５に係るカバー部材１１０を示す斜視図である。図８は、変形例５に係る図１（Ａ）相当図である。この変形例では、舌部１１１が中間部分で折れ曲がっている。これに合わせて挿入用貫通孔１０３ｂも途中で折れ曲がるような構成となっており、脱落防止部１３’を筐体側面部に設けながら、実施形態１と比較してカバー部材１１０を短くすることができる。これにより、脱落防止部構造が筐体内部空間を圧迫することなく、カバー部材の長さ等デザインの自由度を高めることができる。また、このように折れ曲がった構成であると、先端の係合突起１１２に力を加え難くなるが、脱落防止部１３に変形用スリット１３ａを加えるなどにより変形しやすくしているので、その挿入が容易である。
【００３０】
図９は、実施形態１の変形例６に係るカバー部材２１０を示す図１（Ａ）相当図であり、この変形例では、実施形態１と比較して舌部２１１を長くしている。これによって、カバー部材２１０の引き出し量を多くし、メモリカード７の脱着を容易にしている。また、脱落防止部１３も長くすることで、カバー部材２１０の引き出し量を調節するとともに脱落防止部１３を変形しやすくしている。このように、舌部２１１を長くする必要がある場合には、先端の係合突起２１２に力を加え難くなるが、脱落防止部１３が変形しやすいので、その挿入が容易である。
【００３１】
（実施形態２）
図１０は、実施形態２に係るカバー部材３１０を示す斜視図である。図１１（Ａ）は、カバー部材３１０を閉じた状態の舌部３１１と脱落防止部３１３との関係を示す拡大断面図であり、図１１（Ｂ）は、カバー部材３１０を開いて引き出した状態の舌部３１１と脱落防止部３１３との関係を示す拡大断面図である。本発明の実施形態２は、舌部３１１の形状が異なる点で上記実施形態１と異なる。
【００３２】
具体的には、図１０に示すように、本実施形態の舌部３１１は、所定距離離れた一対の板状部材よりなり、その先端に互いに反対方向に延びる鉤状部分を有する係合突起３１２が形成されている。
【００３３】
図１１（Ａ）及び（Ｂ）に示すように、筐体３の脱落防止部３１３は、一対の板状の舌部３１１に合わせ、挿入用貫通孔３ｂの周縁における舌部３１１の外側にそれぞれ設けられている。
【００３４】
本実施形態では、一対の脱落防止部３１３の間に筐体のリブ３０３が配置され、このリブ３０３の両側に抜け防止用凹部３１４が凹陥されて凹凸のある形状となっている。
【００３５】
そして、舌部３１１を挿入用貫通孔３ｂに挿入するときには、係合突起３１２が脱落防止部３１３を外側に押しのけて通過し、図１１（Ａ）に示す状態となる。
【００３６】
カバー部材３１０を引っ張ると、図１１（Ｂ）に示すように、係合突起３１２の鉤状部分が上記実施形態１と同様の傾斜面１３ｂに引っ掛かって一対の脱落防止部３１３を互いに近付ける方向に引き寄せ、抜け防止用凹部３１４側へ舌部３１１が変形し、抜け止め効果が増す。
【００３７】
カバー部材３１０を交換するときには、図１１（Ｂ）の状態から、さらに強く引っ張ると、係合突起３１２が変形して鉤状部分を傾斜面１３ｂから抜き出すことができる。なお、図３（ｃ）に示したように、装飾部材５を取り外したときに露出する係合突起３１２の鉤部を先細の工具などで変形させながらカバー部材３１０を取り外してもよい。
【００３８】
（その他の実施形態）
本発明は、上記実施形態について、以下のような構成としてもよい。
【００３９】
すなわち、上記実施形態では、電子機器は、スマートフォン１としたが、タブレット端末、ＰＨＳ（Personal Handy-phone System ）、ＰＤＡ(Personal Digital Assistant)、パソコン、モバイルツール、ウェアラブル端末、電子辞書、電卓、ゲーム機等であってもよく、小型の液晶ディスプレイ、液晶テレビ、ブルーレイディスクレコーダ、ＤＶＤレコーダ等であってもよい。
【００４０】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００４１】
１      スマートフォン（電子機器）
２      表示部
３      筐体
３ａ    開口部
３ｂ    挿入用貫通孔
３ｃ    嵌合凹部
３ｄ    貫通孔
４      リアカバー
５      装飾部材
６      回路基板
７      メモリカード
８      接続端子
９      イヤホン接続部
１０      カバー部材
１０ａ    パッキン部
１０ｂ    係合部
１１      舌部
１２      係合突起
１２ａ    鉤部
１２ｂ    変形部
１３，１３'    脱落防止部
１３ａ，１３ａ''，１３ａ'''    変形用スリット
１３ａ'  孔部
１３ｂ    傾斜面
１４      防止用凹部
１０３ｂ    挿入用貫通孔
１１０      カバー部材
１１１      舌部
１１２      係合突起
２１０      カバー部材
２１１      舌部
２１２      係合突起
３０３      リブ
３１０      カバー部材
３１１      舌部
３１２      係合突起
３１３      脱落防止部
３１４      防止用凹部
【図１】
0006552292.tif 000002
【図２】
0006552292.tif 000003
【図３】
0006552292.tif 000004
【図４】
0006552292.tif 000005
【図５】
0006552292.tif 000006
【図６】
0006552292.tif 000007
【図７】
0006552292.tif 000008
【図８】
0006552292.tif 000009
【図９】
0006552292.tif 000010
【図１０】
0006552292.tif 000011
【図１１】
0006552292.tif 000012
【図１２】
0006552292.tif 000013
【図１３】
0006552292.tif 000014